(57)【特許請求の範囲】
【請求項１】
面状に並べられた複数の発光ユニットを備える照明装置であって、
２以上の前記発光ユニットを含む第１発光ユニット群と、
２以上の前記発光ユニットを含む第２発光ユニット群と、
前記第１発光ユニット群に含まれる前記発光ユニットを直列接続する第１電源ラインと、
前記第２発光ユニット群に含まれる前記発光ユニットを直列接続する第２電源ラインと、
前記第１発光ユニット群に含まれる前記発光ユニットおよび前記第２発光ユニット群に含まれる前記発光ユニットの双方に接続された信号ラインと、を有し、
前記第１電源ラインは、外部からの電力を、前記第１発光ユニット群に含まれる前記発光ユニットにのみ供給し、
前記第２電源ラインは、外部からの電力を、前記第２発光ユニット群に含まれる前記発光ユニットにのみ供給し、
外部からの制御信号は、前記第１発光ユニット群および前記第２発光ユニット群に含まれるいずれか一つの前記発光ユニットに供給され、
前記信号ラインは、前記第１発光ユニット群に含まれる前記発光ユニットを直列接続し、前記第２発光ユニット群に含まれる前記発光ユニットを直列接続し、且つ、前記第１発光ユニット群に含まれる１つの前記発光ユニットと前記第２発光ユニット群に含まれる１つの前記発光ユニットとを互いに電気的に接続し、
前記信号ラインは、前記第１発光ユニット群および前記第２発光ユニット群に含まれる前記いずれか一つの前記発光ユニットに供給された前記外部からの制御信号を、前記第１発光ユニット群に含まれる前記発光ユニットおよび前記第２発光ユニット群に含まれる前記発光ユニットの双方に供給し、
複数の前記発光ユニットの各々は、基板上に設けられた複数の端子接続部を有し、
複数の前記端子接続部は、前記電力の伝送に用いられる電力用端子と、前記制御信号の伝送に用いられる信号用端子と、を含み、
隣り合うように配置された前記発光ユニットの間においては、一方の前記発光ユニットにおける前記電力用端子および前記信号用端子の配列方向と他方の前記発光ユニットにおける前記電力用端子および前記信号用端子の配列方向とが同方向となるように、前記電力用端子および前記信号用端子が配列されている、
照明装置。
【請求項２】
前記基板は、矩形状の形状を有し、
前記端子接続部は、前記基板の四方のそれぞれに設けられている、
請求項１に記載の照明装置。
【発明の詳細な説明】
【技術分野】
【０００１】
本発明は、照明装置に関し、特に、複数の発光ユニットを備える照明装置に関する。
【背景技術】
【０００２】
特開２００６−２２８５５７号公報（特許文献１）および特開２００９−２１８０９４号公報（特許文献２）に開示されているように、タイリングされた複数の発光源を備える照明装置が知られている。複数の発光源は、複数の発光ユニットを備える照明装置において、１つ１つの発光ユニット内で面状に配列された状態で用いられる場合もある。
【０００３】
照明装置の発光面積を大きくするためには、比較的小さな発光面積を有する複数の発光源を用いる場合の方が、大面積を有する１つの発光源を用いる場合に比べて、輝度ムラの発生を抑制したり、製造費用を低減したりすることが可能となる。
【先行技術文献】
【特許文献】
【０００４】
【特許文献１】特開２００６−２２８５５７号公報
【特許文献２】特開２００９−２１８０９４号公報
【発明の概要】
【発明が解決しようとする課題】
【０００５】
各々が複数の発光源を有する複数の発光ユニットを用いて照明装置を構成する場合、発熱の抑制または劣化の抑制等の観点から、発光ユニットに印加される電流としては、一部の発光ユニットに電流が集中することなく、各々の発光ユニット毎にできるだけ均一に電流が供給されることが望ましい。
【０００６】
本発明は、各々の発光ユニットにより均一に電流を供給することが可能な照明装置を提供することを目的とする。
【課題を解決するための手段】
【０００７】
本発明に基づく照明装置は、面状に並べられた複数の発光ユニットを備える照明装置であって、２以上の上記発光ユニットを含む第１発光ユニット群と、２以上の上記発光ユニットを含む第２発光ユニット群と、上記第１発光ユニット群に含まれる上記発光ユニットを直列接続する第１電源ラインと、上記第２発光ユニット群に含まれる上記発光ユニットを直列接続する第２電源ラインと、上記第１発光ユニット群に含まれる上記発光ユニットおよび上記第２発光ユニット群に含まれる上記発光ユニットの双方に接続された信号ラインと、を有し、上記第１電源ラインは、外部からの電力を、上記第１発光ユニット群に含まれる上記発光ユニットにのみ供給し、上記第２電源ラインは、外部からの電力を、上記第２発光ユニット群に含まれる上記発光ユニットにのみ供給し、外部からの制御信号は、上記第１発光ユニット群および上記第２発光ユニット群に含まれるいずれか一つの上記発光ユニットに供給され、上記信号ラインは、上記第１発光ユニット群に含まれる上記発光ユニットを直列接続し、上記第２発光ユニット群に含まれる上記発光ユニットを直列接続し、且つ、上記第１発光ユニット群に含まれる１つの上記発光ユニットと上記第２発光ユニット群に含まれる１つの上記発光ユニットとを互いに電気的に接続し、上記信号ラインは、上記外部からの制御信号を、上記第１発光ユニット群に含まれる上記発光ユニットおよび上記第２発光ユニット群に含まれる上記発光ユニットの双方に供給する。複数の上記発光ユニットの各々は、基板上に設けられた複数の端子接続部を有し、複数の上記端子接続部は、上記電力の伝送に用いられる電力用端子と、上記制御信号の伝送に用いられる信号用端子と、を含み、隣り合うように配置された上記発光ユニットの間においては、一方の上記発光ユニットにおける上記電力用端子および上記信号用端子の配列方向と他方の上記発光ユニットにおける上記電力用端子および上記信号用端子の配列方向とが同方向となるように、上記電力用端子および上記信号用端子が配列されている。
【００１０】
好ましくは、上記基板は、矩形状の形状を有し、上記端子接続部は、上記基板の四方のそれぞれに設けられている。
【発明の効果】
【００１１】
本発明によれば、各々の発光ユニットにより均一に電流を供給することが可能な照明装置を得ることができる。
【図面の簡単な説明】
【００１２】
【図１】実施の形態１における照明装置の全体構成を示す平面図である。
【図２】実施の形態１における照明装置の一部を拡大して示す平面図である。
【図３】実施の形態１における照明装置に用いられる１つの発光ユニットを示す平面図である。
【図４】実施の形態１における照明装置に用いられる１つの発光ユニットを示す底面図である。
【図５】図４中のＶ−Ｖ線に沿った矢視断面図である。
【図６】実施の形態１における照明装置に用いられる１つの発光ユニットの内部配線パターンを示す図である。
【図７】実施の形態１における照明装置に用いられる１つの発光ユニットの回路構成を示す図である。
【図８】実施の形態１における照明装置の電源ライン（第１電源ライン、および第２電源ライン）ならびに信号ラインを模式的に示す図である。
【図９】実施の形態１の変形例における照明装置の全体構成を示す平面図である。
【発明を実施するための形態】
【００１３】
本発明に基づいた実施の形態について、以下、図面を参照しながら説明する。実施の形態の説明において、個数、量などに言及する場合、特に記載がある場合を除き、本発明の範囲は必ずしもその個数、量などに限定されない。実施の形態の説明において、同一の部品、相当部品に対しては、同一の参照番号を付し、重複する説明は繰り返さない場合がある。
【００１４】
［実施の形態１］
（照明装置１００）
図１および図２を参照して、本実施の形態における照明装置１００の全体構成について説明する。図１は、照明装置１００の全体構成を模式的に示す平面図である。図２は、照明装置１００の一部（発光ユニット１０ａ，１０ｂ，１０ｅ，１０ｆ）を拡大して示す平面図である。
【００１５】
図１および図２に示すように、照明装置１００は、電源装置２０、制御部３０、および計１６枚の発光ユニット１０ａ〜１０ｈ，１０ｐ〜１０ｗを備える。発光ユニット１０ａ〜１０ｈ，１０ｐ〜１０ｗは、４×４の行列状（マトリックス状）に並べられ、面状（同一平面上または同一曲面上）に配置されている。本実施の形態においては、発光ユニット１０ａ〜１０ｈ，１０ｐ〜１０ｗは、同一の構成を有している。
【００１６】
行方向に１列に並ぶ発光ユニット１０ａ〜１０ｄによって、発光ユニット群１１（第１発光ユニット群）が構成される。行方向に１列に並ぶ発光ユニット１０ｅ〜１０ｈによって、発光ユニット群１２（第２発光ユニット群）が構成される。行方向に１列に並ぶ発光ユニット１０ｐ〜１０ｓによって、発光ユニット群１３が構成される。行方向に１列に並ぶ発光ユニット１０ｔ〜１０ｗによって、発光ユニット群１４が構成される。
【００１７】
発光ユニット群１１〜１４は、列方向に沿って順に並んでいる。発光ユニット群１１〜１４の各々は、４枚の発光ユニットに限られず、照明装置１００は、２以上の発光ユニットであればさらに多くの発光ユニットを含んでいてもよい。
【００１８】
電源装置２０は、交流入力を直流出力に変換する。たとえば、電源装置２０は、ＡＣ８５Ｖ〜２６５Ｖの交流電圧を２４Ｖの直流電圧に変換する。本実施の形態の電源装置２０は、４つの電圧出力部を有し、これらの電圧出力部は、配線材４１ａ，４１ｅ，４１ｐ，４１ｔにそれぞれ接続される。配線材４１ａ，４１ｅ，４１ｐ，４１ｔは、それぞれ発光ユニット１０ａ，１０ｅ，１０ｐ，１０ｔに電気的に接続されている。
【００１９】
電源装置２０においては、４つの電圧出力部が発光ユニット１０ａ，１０ｅ，１０ｐ，１０ｔにそれぞれ独立して接続されている。これは、１つの電圧出力部が発光ユニット１０ａ，１０ｅ，１０ｐ，１０ｔに電気的に接続されている場合に比べて、電源装置２０としての小型化、薄型化、および簡素化を図ることが可能となり、さらに、発光ユニット１０ａ，１０ｅ，１０ｐ，１０ｔに電力を供給することに際して、電圧出力部としての稼働率のバランスを得ることも容易に可能となる。
【００２０】
発光ユニット群１１においては、電源ラインによって、発光ユニット１０ａ〜１０ｄが直列接続されている。具体的には、内部配線パターン２１ａ，２２ａ、配線材４０ｂ、内部配線パターン２１ｂ，２２ｂ、配線材４０ｃ、内部配線パターン２１ｃ，２２ｃ、配線材４０ｄ、および、内部配線パターン２１ｄによって、１つの電源ライン（第１電源ライン）が構成され、発光ユニット１０ａ〜１０ｄはこの電源ラインを通して直列接続されている。この電源ラインは、配線材４１ａを通して電源装置２０から供給された電力を、発光ユニット１０ａ〜１０ｄにのみ供給するように構成されている。
【００２１】
同様に、発光ユニット群１２においては、電源ラインによって、発光ユニット１０ｅ〜１０ｈが直列接続されている。内部配線パターン２１ｅ，２２ｅ、配線材４０ｆ、内部配線パターン２１ｆ，２２ｆ、配線材４０ｇ、内部配線パターン２１ｇ，２２ｇ、配線材４０ｈ、および、内部配線パターン２１ｈによって、１つの電源ライン（第２電源ライン）が構成され、発光ユニット１０ｅ〜１０ｈはこの電源ラインを通して直列接続されている。この電源ラインは、配線材４１ｅを通して電源装置２０から供給された電力を、発光ユニット１０ｅ〜１０ｈにのみ供給するように構成されている。
【００２２】
同様に、発光ユニット群１３においては、電源ラインによって、発光ユニット１０ｐ〜１０ｓが直列接続されている。内部配線パターン２１ｐ，２２ｐ、配線材４０ｑ、内部配線パターン２１ｑ，２２ｑ、配線材４０ｒ、内部配線パターン２１ｒ，２２ｒ、配線材４０ｓ、および、内部配線パターン２１ｓによって、１つの電源ライン（第３電源ライン）が構成され、発光ユニット１０ｐ〜１０ｓは、この電源ラインを通して直列接続されている。この電源ラインは、配線材４１ｐを通して電源装置２０から供給された電力を、発光ユニット１０ｐ〜１０ｓにのみ供給するように構成されている。
【００２３】
同様に、発光ユニット群１４においては、電源ラインによって、発光ユニット１０ｔ〜１０ｗが直列接続されている。内部配線パターン２１ｔ，２２ｔ、配線材４０ｕ、内部配線パターン２１ｕ，２２ｕ、配線材４０ｖ、内部配線パターン２１ｖ，２２ｖ、配線材４０ｗ、および、内部配線パターン２１ｗによって、１つの電源ライン（第４電源ライン）が構成され、発光ユニット１０ｔ〜１０ｗは、この電源ラインを通して直列接続されている。この電源ラインは、配線材４１ｔを通して電源装置２０から供給された電力を、発光ユニット１０ｔ〜１０ｗにのみ供給するように構成されている。
【００２４】
制御部３０は、光量を調節したり、発光のＯＮ／ＯＦＦまたは点滅を制御したり、低消費電流モードに切り替えたりといった、各種の制御信号を出力する。制御部３０は、配線材４０ａを通して発光ユニット１０ａに接続されている。
【００２５】
ここで、配線材４０ａ，４０ｂ，４０ｃ，４０ｄ，４０ｅ，４０ｆ，４０ｇ，４０ｈ，４０ｐ，４０ｑ，４０ｒ，４０ｓ，４０ｔ，４０ｕ，４０ｖ，４０ｗ、および、内部配線パターン３１ａ，３２ａ，３３ａ，３１ｂ，３２ｂ，３１ｃ，３２ｃ，３１ｄ，３１ｅ，３２ｅ，３３ｅ，３１ｆ，３２ｆ，３１ｇ，３２ｇ，３１ｈ，３１ｐ，３２ｐ，３３ｐ，３１ｑ，３２ｑ，３１ｒ，３２ｒ，３１ｓ，３１ｔ，３２ｔ，３３ｔ，３１ｕ，３２ｕ，３１ｖ，３２ｖ，３１ｗによって、信号ラインが構成されている。
【００２６】
この信号ラインは、発光ユニット群１１〜１４に含まれるすべての発光ユニット１０ａ〜１０ｈ，１０ｐ〜１０ｗに接続されている。制御部３０からの各種の制御信号は、この信号ラインを通して、発光ユニット１０ａ〜１０ｈ，１０ｐ〜１０ｗに共通して供給される。
【００２７】
発光ユニット群１１においては、上記の第１電源ラインに加えて、信号ラインによっても発光ユニット１０ａ〜１０ｄが直列接続されている。具体的には、内部配線パターン３１ａ，３３ａ、配線材４０ｂ、内部配線パターン３１ｂ，３２ｂ、配線材４０ｃ、内部配線パターン３１ｃ，３２ｃ、配線材４０ｄ、および、内部配線パターン３１ｄによって、発光ユニット１０ａ〜１０ｄは直列接続されている。信号ラインは、配線材４０ａおよび内部配線パターン３１ａを通して制御部３０から供給された各種の制御信号を、発光ユニット１０ａ〜１０ｄに供給するように構成されている。ここでの信号ラインは、上記の各電源ライン（第１〜第４電源ライン）とは独立している。
【００２８】
発光ユニット群１２においては、上記の第２電源ラインに加えて、信号ラインによっても発光ユニット１０ｅ〜１０ｈが直列接続されている。具体的には、内部配線パターン３１ｅ，３３ｅ、配線材４０ｆ、内部配線パターン３１ｆ，３２ｆ、配線材４０ｇ、内部配線パターン３１ｇ，３２ｇ、配線材４０ｈ、および、内部配線パターン３１ｈによって、発光ユニット１０ｅ〜１０ｈは直列接続されている。信号ラインは、内部配線パターン３２ａ、配線材４０ｅ、および内部配線パターン３１ｅを通して制御部３０から供給された各種の制御信号を、発光ユニット１０ｅ〜１０ｈに供給するように構成されている。ここでの信号ラインも、上記の各電源ライン（第１〜第４電源ライン）とは独立している。
【００２９】
発光ユニット群１３においては、上記の第３電源ラインに加えて、信号ラインによっても発光ユニット１０ｐ〜１０ｓが直列接続されている。具体的には、内部配線パターン３１ｐ，３３ｐ、配線材４０ｑ、内部配線パターン３１ｑ，３２ｑ、配線材４０ｒ、内部配線パターン３１ｒ，３２ｒ、配線材４０ｓ、および、内部配線パターン３１ｓによって、発光ユニット１０ｐ〜１０ｓは直列接続されている。信号ラインは、内部配線パターン３２ｅ、配線材４０ｐ、および内部配線パターン３１ｐを通して制御部３０から供給された各種の制御信号を、発光ユニット１０ｐ〜１０ｓに供給するように構成されている。ここでの信号ラインも、上記の各電源ライン（第１〜第４電源ライン）とは独立している。
【００３０】
発光ユニット群１４においては、上記の第４電源ラインに加えて、信号ラインによっても発光ユニット１０ｔ〜１０ｗが直列接続されている。具体的には、内部配線パターン３１ｔ，３３ｔ、配線材４０ｕ、内部配線パターン３１ｕ，３２ｕ、配線材４０ｖ、内部配線パターン３１ｖ，３２ｖ、配線材４０ｗ、および、内部配線パターン３１ｓによって、発光ユニット１０ｔ〜１０ｗは直列接続されている。信号ラインは、内部配線パターン３２ｐ、配線材４０ｔ、および内部配線パターン３１ｔを通して制御部３０から供給された各種の制御信号を、発光ユニット１０ｔ〜１０ｗに供給するように構成されている。ここでの信号ラインも、上記の各電源ライン（第１〜第４電源ライン）とは独立している。
【００３１】
（発光ユニット１０ａ〜１０ｈ，１０ｐ〜１０ｗ）
以下、図３〜図７を参照して、照明装置１００に用いられる発光ユニット１０ａ〜１０ｈ，１０ｐ〜１０ｗについて詳細に説明する。上述のとおり、本実施の形態においては発光ユニット１０ａ〜１０ｈ，１０ｐ〜１０ｗは、配線の電気的な接続構成を除いて、略同一の構成を有している。以下、これらの代表として、発光ユニット１０ａに基づいて説明する。
【００３２】
図３は、発光ユニット１０ａを示す平面図である。図４は、発光ユニット１０ａを示す底面図である。図５は、図４中のＶ−Ｖ線に沿った矢視断面図である。図６は、発光ユニット１０ａの内部配線パターンを示す図である。図７は、発光ユニット１０ａの回路構成を示す図である。
【００３３】
図３〜図５に示すように、発光ユニット１０ａは、基板８０、基板８０の表面側に設けられた回路素子７０、および、基板８０の裏面側に設けられた９枚の有機ＥＬパネル９０（Organic  Electroluminescence  Panel）を備える。照明装置１００（図１参照）の全体としては、９枚×１６（発光ユニット１０ａ〜１０ｈ，１０ｐ〜１０ｗ）＝１４４枚の有機ＥＬパネル９０を備えている。
【００３４】
本実施の形態においては、各発光ユニットに９枚の有機ＥＬパネル９０が発光源として用いられるが、有機ＥＬパネル９０の代わりにＬＥＤ（Light  Emitting  Diode）が用いられてもよいし、有機ＥＬパネル９０とＬＥＤなどの他の光源とが組み合わされて用いられてもよい。
【００３５】
図３を参照して、基板８０は、矩形状の形状を有し、四方には端子接続部５１ａ〜５４ａがそれぞれ設けられている。端子接続部５１ａ〜５４ａは、基板８０の４辺の各々に沿って、これらの各辺と平行な位置関係で設けられている。端子接続部５１ａおよび端子接続部５３ａは、基板８０の中央を挟んで互いに対向する位置関係にあり、端子接続部５１ｂおよび端子接続部５３ｄは、基板８０の中央を挟んで互いに対向する位置関係にある。
【００３６】
詳細は後述されるが、端子接続部５１ａおよび端子接続部５３ａのそれぞれのピン配置は、基板８０の中央を挟んで互いに線対称となるように構成されている。端子接続部５１ｂおよび端子接続部５３ｄのそれぞれもピン配置も、基板８０の中央を挟んで互いに対向する位置関係にある。端子接続部５１ａ〜５４ａには、コネクターケーブル、ハーネス、またはＦＰＣケーブル等の各種の配線材（図１における配線材４０ａ〜４０ｈ，４０ｐ〜４０ｗを参照）を差し込むことができる。
【００３７】
図６を参照して、端子接続部５１ａの近傍には、電源端子用ランド６１ａおよび接地端子用ランド７１ａがそれぞれ設けられている。端子接続部５２ａの近傍には、電源端子用ランド６２ａおよび接地端子用ランド７２ａがそれぞれ設けられている。端子接続部５３ａの近傍には、電源端子用ランド６３ａおよび接地端子用ランド７３ａがそれぞれ設けられている。端子接続部５４ａの近傍には、電源端子用ランド６４ａおよび接地端子用ランド７４ａがそれぞれ設けられている。
【００３８】
端子接続部５１ａ〜５１ｄのそれぞれに、計１５本の内部配線パターンが接続されている。端子接続部５１ａ〜５１ｄのそれぞれに接続された１５本の内部配線パターンは、一本ずつ互いに導通している。外部から内部配線パターンへの導通は、端子接続部５１ａ〜５１ｄを通して行われる。外部（電源装置２０）からの電力の供給については、端子接続部５１ａ〜５１ｄの代わりに、電源端子用ランド６１ａ〜６４ａおよび接地端子用ランド７１ａ〜７４ａが用いられてもよい。
【００３９】
端子接続部５２ａに接続されている８本の内部配線パターン２１ａは、端子接続部５４ａに接続されている８本の内部配線パターン２２ａと、端子接続部５１ａに接続されている８本の内部配線パターン２３ａと、端子接続部５３ａに接続されている８本の内部配線パターン２４ａとに対して、一本ずつ互いに導通している。
【００４０】
本実施の形態の発光ユニット１０ａにおいては、電源端子用ランド６２ａおよび接地端子用ランド７２ａ、ならびに内部配線パターン２１ａ，２２ａが、電源装置２０からの電力の伝送に用いられる（図１および図２も参照）。電源端子用ランド６２ａおよび接地端子用ランド７２ａに配線材４１ａ（図１および図２参照）がはんだ付けなどによって接続され、電源装置２０から配線材４１ａおよび内部配線パターン２１ａを通して発光ユニット１０ａに電力が供給される。
【００４１】
一方で、端子接続部５１ａに接続されている５本の内部配線パターン３１ａは、端子接続部５２ａに接続されている５本の内部配線パターン３４ａと、端子接続部５３ａに接続されている５本の内部配線パターン３２ａと、端子接続部５４ａに接続されている５本の内部配線パターン３３ａとに対して、一本ずつ互いに導通している。
【００４２】
本実施の形態の発光ユニット１０ａにおいては、内部配線パターン３１ａ，３２ａ，３３ａが、制御部３０からの制御信号の伝送に用いられる（図１および図２も参照）。端子接続部５１ａに配線材４０ａ（図２参照）が接続され、端子接続部５３ａに配線材４０ｅ（図２参照）が接続され、端子接続部５４ａに配線材４０ｂ（図２参照）が接続される。発光ユニット１０ａには、制御部３０から配線材４０ａおよび内部配線パターン３１ａを通して制御信号が供給される。
【００４３】
ここで、発光ユニット１０ａの端子接続部５２ａ，５４ａにおいては、端子接続部５２ａの接続端子のうち電力の伝送に用いられる電力用端子（内部配線パターン２１ａに接続されている部分）と、端子接続部５４ａの接続端子のうち電力の伝送に用いられる電力用端子（内部配線パターン２２ａに接続されている部分）とが、基板８０上において基板８０の中央部を中心とする線対称の位置関係（ピン配置関係）となるように配列されている。
【００４４】
発光ユニット１０ａの端子接続部５１ａ，５３ａにおいても、端子接続部５１ａの接続端子のうち内部配線パターン２３ａに接続されている部分と、端子接続部５４ａの接続端子のうち内部配線パターン２４ａに接続されている部分とが、基板８０上において基板８０の中央部を中心とする線対称の位置関係（ピン配置関係）となるように配列されている。
【００４５】
さらに、発光ユニット１０ａの端子接続部５１ａ〜５４ａにおいては、端子接続部５１ａの接続端子のうち制御信号の伝送に用いられる信号用端子（内部配線パターン３１ａに接続されている部分）と、端子接続部５２ａの接続端子のうち制御信号の伝送に用いられる信号用端子（内部配線パターン３４ａに接続されている部分）と、端子接続部５３ａの接続端子のうち制御信号の伝送に用いられる信号用端子（内部配線パターン３２ａに接続されている部分）と、端子接続部５４ａの接続端子のうち制御信号の伝送に用いられる信号用端子（内部配線パターン３３ａに接続されている部分）とが、基板８０上において基板８０の中央部を中心とする線対称の位置関係（ピン配置関係）となるように配列されている。
【００４６】
図１および図２を再び参照して、発光ユニット１０ａ〜１０ｈ，１０ｐ〜１０ｗの各端子接続部が以上のように構成されていることによって、隣り合うように配置された発光ユニットの間においては、一方の発光ユニットにおける電力用端子および信号用端子の配列方向と、他方の発光ユニットにおける電力用端子および信号用端子の配列方向とが同方向となっている。
【００４７】
たとえば、隣り合うように配置された発光ユニット１０ａ，１０ｂの間においては、一方の発光ユニット１０ａの端子接続部５４ａにおける電力用端子および信号用端子の配列方向と、他方の発光ユニット１０ｂの端子接続部５２ｂにおける電力用端子および信号用端子の配列方向とが、同方向となっている。隣り合うように配置された発光ユニット１０ａ，１０ｅの間においては、一方の発光ユニット１０ａの端子接続部５３ａにおける電力用端子および信号用端子の配列方向と、他方の発光ユニット１０ｅの端子接続部５１ｅにおける電力用端子および信号用端子の配列方向とが、同方向となっている。
【００４８】
発光ユニット１０ａ〜１０ｈ，１０ｐ〜１０ｗの各端子接続部が以上のように構成されていることによって、発光ユニット１０ａ，１０ｂ（端子接続部５４ａ，５２ｂ）の間に設けられる配線材４０ｂ、発光ユニット１０ｂ，１０ｃ（端子接続部５４ｂ，５２ｃ）の間に設けられる配線材４０ｃ、発光ユニット１０ａ，１０ｅ（端子接続部５３ａ，５１ｅ）の間に設けられる配線材４０ｅ、発光ユニット１０ｅ，１０ｆ（端子接続部５４ｅ，５２ｆ）の間に設けられる配線材４０ｆ、および、発光ユニット１０ｆ，１０ｇ（端子接続部５４ｆ，５２ｇ）の間に設けられる配線材４０ｇなどは、ねじれることがない。したがって照明装置１００によれば、電源ラインおよび信号ラインを構成する上で配線を簡素に構成することが可能となる。
【００４９】
図７に示すように、本実施の形態の発光ユニット１０ａ（および他の発光ユニット１０ｂ〜１０ｈ，１０ｐ〜１０ｗ）においては、回路素子７０内にドライバー回路７１〜７３および電流制御回路７４が設けられる。ドライバー回路７１〜７３の各々は、３つずつ直列接続された有機ＥＬパネル９０をそれぞれ駆動するように構成されている。
【００５０】
発光ユニット１０ａ（および他の発光ユニット１０ｂ〜１０ｈ，１０ｐ〜１０ｗ）に供給された電力は、回路素子７０内のドライバー回路７１〜７３を通して、各々の有機ＥＬパネル９０に供給される。有機ＥＬパネル９０に供給される電力は、制御部３０からの信号を受けた電流制御回路７４によって制御される。これにより、９枚の有機ＥＬパネル９０は、所望の光量（明るさ）を有した状態で、それぞれ発光したり、点滅したりすることが可能となる。
【００５１】
図１および図２を参照して、発光ユニット１０ａに供給された電力は、さらに、内部配線パターン２２ａ、配線材４０ｂ、および、内部配線パターン２１ｂを通して、発光ユニット１０ｂに供給される。発光ユニット１０ｂも、発光ユニット１０ａと同様に９枚の有機ＥＬパネル（図示せず）を備えている。これらの有機ＥＬパネルは、内部配線パターン２１ｂを通して供給された電力によって、電流制御回路７４によって制御された状態で発光することが可能となる。
【００５２】
図８を参照して、照明装置１００においては、発光ユニット１０ａ〜１０ｄを含む発光ユニット群１１と、発光ユニット１０ｅ〜１０ｈを含む発光ユニット群１２と、発光ユニット１０ｐ〜１０ｓを含む発光ユニット群１３と、発光ユニット１０ｔ〜１０ｗを含む発光ユニット群１４とに対して、電源装置２０から独立して電力が供給される。
【００５３】
仮に、電源装置２０が発光ユニット１０ａにのみ接続され、１６枚の発光ユニット１０ａ〜１０ｈ，１０ｐ〜１０ｗのすべてが直列接続されているとする。この場合、すべての発光ユニットに供給する電流を１本の電源ラインで供給することになるため、電源ラインの電流容量の関係から、配線抵抗によって電源ラインが発熱したり、電圧降下によってエネルギーロスが生じたりする。
【００５４】
また、仮に、信号ラインと同様に、４つの電源ライン（第１〜第４電源ライン）が発光ユニット１０ａ，１０ｅ，１０ｐ，１０ｔの間で配線材４０ｅ，４０ｐ，４０ｔによって接続されているとする。この場合、電源装置２０と発光ユニット１０ａ，１０ｅ，１０ｐ，１０ｔとの間で、電流のバランスが崩れる可能性がある。たとえば、電源装置２０と発光ユニット１０ａとの間の配線抵抗が小さく、電源装置２０と発光ユニット１０ｅ，１０ｐ，１０ｔとの間の配線抵抗が大きい場合、電源装置２０と発光ユニット１０ａとの間に電流が集中し、結果として、配線抵抗によって電源ラインが発熱したり、電圧降下によってエネルギーロスが生じたりする。
【００５５】
これに対して、本実施の形態の照明装置１００においては、電源ラインが４つに分割されており、上記の第１電源ラインは発光ユニット群１１にのみ電流を供給し、上記の第２電源ラインは発光ユニット群１２にのみ電流を供給し、上記の第３電源ラインは発光ユニット群１３にのみ電流を供給し、上記の第４電源ラインは発光ユニット群１４にのみ電流を供給する（図８中の黒色矢印参照）。したがって照明装置１００によれば、特定の配線箇所に電流が集中することを軽減することができ、配線抵抗によって電源ラインが発熱したり、電圧降下によってエネルギーロスが生じたりすることを効果的に防止することが可能となる。
【００５６】
一方で、照明装置１００においては、信号ラインはすべての発光ユニット１０ａ〜１０ｈ，１０ｐ〜１０ｗに対して接続されている。また、信号ラインは、発光ユニット群１１〜１４内の発光ユニットをそれぞれ直列接続しつつ、発光ユニット群１１〜１４内でそれぞれ直列接続された有機ＥＬパネル９０同士を接続している。これにより、信号ラインは、発光ユニット群１１〜１４内の発光ユニットに対して共通して制御信号を伝送することができる（図８中の白色矢印参照）。信号ラインとしては、発光ユニット群１１〜１４内の発光ユニットをそれぞれ直列接続しているため、すべての発光ユニット１０ａ〜１０ｈ，１０ｐ〜１０ｗが直列接続されている場合に比べて制御信号の遅れなどが発生しにくくなっている。
【００５７】
また、照明装置１００においては、発光ユニット１０ａ〜１０ｈ，１０ｐ〜１０ｗが同一の構成を有している。電力の伝送に用いられる電力用端子および制御信号の伝送に用いられる信号用端子が、基板８０上において線対称の位置関係となるように配列されているため、１６枚に限られず、発光ユニットの枚数を増減する場合であっても、柔軟かつ容易に対応することが可能となっている。
【００５８】
図９に示すように、信号ラインを構成する配線材４０ｐは、発光ユニット１０ｅおよび発光ユニット１０ｐの間ではなくて、発光ユニット１０ｆおよび発光ユニット１０ｑの間に設けられていてもよい。また、信号ラインを構成する配線材４０ｔは、発光ユニット１０ｐおよび発光ユニット１０ｔの間ではなくて、発光ユニット１０ｒおよび発光ユニット１０ｖの間に設けられていてもよい。照明装置１００は、行方向および列方向に発光ユニットを増減する場合において、高い配線の自由度を有している。
【００５９】
以上、本発明に基づいた実施の形態について説明したが、今回開示された実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６０】
１０ａ〜１０ｈ，１０ｐ〜１０ｗ  発光ユニット、１１  発光ユニット群（第１発光ユニット群）、１２  発光ユニット群（第２発光ユニット群）、１３，１４  発光ユニット群、２０  電源装置、２１ａ〜２１ｈ，２１ｐ〜２１ｗ，２２ａ，２２ｂ，２２ｃ，２２ｅ，２２ｆ，２２ｇ，２２ｐ，２２ｑ，２２ｒ，２２ｔ，２２ｕ，２２ｖ，２３ａ，２４ａ，３１ａ〜３１ｈ，３１ｐ〜３１ｖ，３２ａ，３２ｂ，３２ｃ，３２ｅ，３２ｆ，３２ｇ，３２ｐ，３２ｑ，３２ｒ，３２ｕ，３２ｖ，３３ａ，３３ｅ，３３ｐ，３３ｔ，３４ａ  内部配線パターン、３０  制御部、４０ａ〜４０ｈ，４０ｐ〜４０ｗ，４１ａ，４１ｅ，４１ｐ，４１ｔ  配線材、５１ａ〜５１ｅ，５２ａ，５２ｂ，５２ｃ，５２ｆ，５２ｇ，５３ａ，５３ｄ，５４ａ，５４ｂ，５４ｅ，５４ｆ  端子接続部、６１ａ〜６４ａ  電源端子用ランド、７０  回路素子、７１〜７３  ドライバー回路、７１ａ〜７４ａ  接地端子用ランド、７４  電流制御回路、８０  基板、９０  有機ＥＬパネル、１００  照明装置。
【図３】
0005910174.tif 000002
【図４】
0005910174.tif 000003
【図５】
0005910174.tif 000004
【図６】
0005910174.tif 000005
【図７】
0005910174.tif 000006
【図１】
0005910174.tif 000007
【図２】
0005910174.tif 000008
【図８】
0005910174.tif 000009
【図９】
0005910174.tif 000010